(57)【要約】【課題】本考案は、犬の足の付け根を冷やしたり温めたりすることにより、犬の身体を冷やしたり温めたりすることができる犬用保冷体・保温体装着具を提供する。【解決手段】犬用保冷体・保温体装着具１０のベルト取付体１２には第１ベルト用第１挿通孔１６、第１ベルト用第２挿通孔１８、第２ベルト用第１挿通孔２０、第２ベルト用第２挿通孔２２が形成されている。第１ベルト用第１挿通孔１６と第１ベルト用第２挿通孔１８には第１ベルト２４が挿通され、第２ベルト用第１挿通孔２０と第２ベルト用第２挿通孔２２には第２ベルト２６が挿通されている。第１ベルト２４の一端部には第１ベルト用第１クリップ３０が、第１ベルト２４の他端部には第１ベルト用第２クリップ３２が、第２ベルト２６の一端部には第２ベルト用第１クリップ３４が、第２ベルト２６の他端部には第２ベルト用第２クリップ３６が、取り付けられている。【選択図】図１
0003175568.tif 000002
【実用新案登録請求の範囲】
【請求項１】
犬の背中に配設されるベルト取付体と、このベルト取付体に形成された第１ベルト用第１挿通孔と、前記ベルト取付体に形成された第１ベルト用第２挿通孔と、前記ベルト取付体に形成された第２ベルト用第１挿通孔と、前記ベルト取付体に形成された第２ベルト用第２挿通孔と、前記第１ベルト用第１挿通孔と第１ベルト用第２挿通孔に挿通されて前記ベルト取付体に取り付けられた第１ベルトと、前記第２ベルト用第１挿通孔と第２ベルト用第２挿通孔に挿通されて前記ベルト取付体に取り付けられた第２ベルトと、前記第１ベルトの一端部に設けられた第１ベルト用第１クリップと、前記第１ベルトの他端部に設けられた第１ベルト用第２クリップと、前記第２ベルトの一端部に設けられた第２ベルト用第１クリップと、前記第２ベルトの他端部に設けられた第２ベルト用第２クリップと、を有してなることを特徴とする犬用保冷体・保温体装着具。
【請求項２】
犬の背中に配設されるベルト取付体と、このベルト取付体の一側部に形成された第１ベルト用第１挿通孔と、前記ベルト取付体の他側部に形成された第１ベルト用第２挿通孔と、前記ベルト取付体の他側部に形成された第２ベルト用第１挿通孔と、前記ベルト取付体の一側部に形成された第２ベルト用第２挿通孔と、前記第１ベルト用第１挿通孔と第１ベルト用第２挿通孔に挿通されて前記ベルト取付体に取り付けられた第１ベルトと、前記第２ベルト用第１挿通孔と第２ベルト用第２挿通孔に挿通されると共に前記第１ベルトと交差して前記ベルト取付体に取り付けられた第２ベルトと、前記第１ベルトの一端部に設けられた第１ベルト用第１クリップと、前記第１ベルトの他端部に設けられた第１ベルト用第２クリップと、前記第２ベルトの一端部に設けられた第２ベルト用第１クリップと、前記第２ベルトの他端部に設けられた第２ベルト用第２クリップと、を有してなることを特徴とする犬用保冷体・保温体装着具。
【請求項３】
犬の背中に配設されるベルト取付体と、このベルト取付体の一側部に形成された第１ベルト用第１挿通孔と、前記ベルト取付体の他側部に形成された第１ベルト用第２挿通孔と、前記ベルト取付体の他側部に形成された第２ベルト用第１挿通孔と、前記ベルト取付体の一側部に形成された第２ベルト用第２挿通孔と、前記第１ベルト用第１挿通孔と第１ベルト用第２挿通孔に挿通されて前記ベルト取付体に取り付けられた第１ベルトと、前記第２ベルト用第１挿通孔と第２ベルト用第２挿通孔に挿通されると共に前記第１ベルトと交差して前記ベルト取付体に取り付けられた第２ベルトと、前記第１ベルトの一端部に設けられた第１ベルト用第１クリップと、前記第１ベルトの他端部に設けられた第１ベルト用第２クリップと、前記第２ベルトの一端部に設けられた第２ベルト用第１クリップと、前記第２ベルトの他端部に設けられた第２ベルト用第２クリップと、前記第１ベルトに取り付けられると共に前記第１ベルトと前記第２ベルトを締め付けるベルト締付体を構成する第１締付体と、前記第２ベルトに取り付けられると共に前記第１ベルトと前記第２ベルトを締め付けるベルト締付体を構成する第２締付体と、を有してなることを特徴とする犬用保冷体・保温体装着具。
【考案の詳細な説明】
【技術分野】
【０００１】
本考案は、リンパ節がある犬の足の付け根を冷やしたり、あるいは温めたりすることにより効率的に犬の身体を冷やしたり、温めたりすることができる犬用保冷体・保温体装着具に関する。
【背景技術】
【０００２】
犬は運動させることが犬の健康管理に極めて効果的であるため、犬の飼い主は毎日のように犬の散歩を行っている。
ところで、最近のペットは従来のペットという概念よりも家族の一員として扱われている場合が多い。
このため、特に、主に屋内で飼われている犬は普段エアコンが効いた室内で飼い主と共に快適な温度環境で飼われているので、暑さや寒さに対する抵抗力が低下している。
また、近年の夏は地球温暖化の影響等により最高気温が摂氏３５℃以上の猛暑日や最高気温が摂氏３０℃以上の真夏日が連日のように続いている。
この結果、猛暑日や真夏日のような暑い日に犬を連日のように散歩させると寒さに比較的強い犬にとって大きな負担になる。
そこで、犬の身体を冷やす製品としてクールハーネスが提案されている（特許文献１）。このクールハーネスは犬の胸周辺に配設される犬用被服にポケットを形成して前記ポケットに保冷体を入れて犬の身体を冷やすものである。
しかし、このクールハーネスは犬の胸周辺部全体を冷やすようになっている。また、クールハーネスは保冷体を収容する犬用被服が必要になると共にこの犬用被服にポケットを形成するので製造に手間がかかるため製品価格が高くなる。さらに、保冷体は犬用被服のポケットに収容されるので犬の身体を冷やす場合に時間がかかる。
【先行技術文献】
【特許文献】
【０００３】
【特許文献１】実用新案登録第３１４６７９８号公報
【考案の概要】
【考案が解決しようとする課題】
【０００４】
本考案は、上記事実に鑑みなされたものであり、シンプルな構造でありながら犬のリンパ節がある足の付け根をピンポイントで冷やしたり温めたりすることにより、効率的に犬の身体を早く冷やしたり早く温めたりすることができる犬用保冷体・保温体装着具を提供するものである。
【課題を解決するための手段】
【０００５】
請求項１の考案は、犬の背中に配設されるベルト取付体と、このベルト取付体に形成された第１ベルト用第１挿通孔と、前記ベルト取付体に形成された第１ベルト用第２挿通孔と、前記ベルト取付体に形成された第２ベルト用第１挿通孔と、前記ベルト取付体に形成された第２ベルト用第２挿通孔と、前記第１ベルト用第１挿通孔と第１ベルト用第２挿通孔に挿通されて前記ベルト取付体に取り付けられた第１ベルトと、前記第２ベルト用第１挿通孔と第２ベルト用第２挿通孔に挿通されて前記ベルト取付体に取り付けられた第２ベルトと、前記第１ベルトの一端部に設けられた第１ベルト用第１クリップと、前記第１ベルトの他端部に設けられた第１ベルト用第２クリップと、前記第２ベルトの一端部に設けられた第２ベルト用第１クリップと、前記第２ベルトの他端部に設けられた第２ベルト用第２クリップと、を有してなることを特徴としている。
請求項２の考案は、犬の背中に配設されるベルト取付体と、このベルト取付体の一側部に形成された第１ベルト用第１挿通孔と、前記ベルト取付体の他側部に形成された第１ベルト用第２挿通孔と、前記ベルト取付体の他側部に形成された第２ベルト用第１挿通孔と、前記ベルト取付体の一側部に形成された第２ベルト用第２挿通孔と、前記第１ベルト用第１挿通孔と第１ベルト用第２挿通孔に挿通されて前記ベルト取付体に取り付けられた第１ベルトと、前記第２ベルト用第１挿通孔と第２ベルト用第２挿通孔に挿通されると共に前記第１ベルトと交差して前記ベルト取付体に取り付けられた第２ベルトと、前記第１ベルトの一端部に設けられた第１ベルト用第１クリップと、前記第１ベルトの他端部に設けられた第１ベルト用第２クリップと、前記第２ベルトの一端部に設けられた第２ベルト用第１クリップと、前記第２ベルトの他端部に設けられた第２ベルト用第２クリップと、を有してなることを特徴としている。
請求項３の考案は、犬の背中に配設されるベルト取付体と、このベルト取付体の一側部に形成された第１ベルト用第１挿通孔と、前記ベルト取付体の他側部に形成された第１ベルト用第２挿通孔と、前記ベルト取付体の他側部に形成された第２ベルト用第１挿通孔と、前記ベルト取付体の一側部に形成された第２ベルト用第２挿通孔と、前記第１ベルト用第１挿通孔と第１ベルト用第２挿通孔に挿通されて前記ベルト取付体に取り付けられた第１ベルトと、前記第２ベルト用第１挿通孔と第２ベルト用第２挿通孔に挿通されると共に前記第１ベルトと交差して前記ベルト取付体に取り付けられた第２ベルトと、前記第１ベルトの一端部に設けられた第１ベルト用第１クリップと、前記第１ベルトの他端部に設けられた第１ベルト用第２クリップと、前記第２ベルトの一端部に設けられた第２ベルト用第１クリップと、前記第２ベルトの他端部に設けられた第２ベルト用第２クリップと、前記第１ベルトに取り付けられると共に前記第１ベルトと前記第２ベルトを締め付けるベルト締付体を構成する第１締付体と、前記第２ベルトに取り付けられると共に前記第１ベルトと前記第２ベルトを締め付けるベルト締付体を構成する第２締付体と、を有してなることを特徴としている。
【考案の効果】
【０００６】
本考案は、犬のリンパ節がある足の付け根をピンポイントで冷やしたり温めたりすることが出来るので、犬の身体を効率的に冷やしたり温めたりすることができるという優れた効果を有する。
本考案は、構造がシンプルであるので製品価格を抑えて提供することができると共に保冷体や保温体を直接犬に当接することができるという優れた効果を有する。
本考案は、構造がシンプルであるので簡単に洗ったり洗浄したりすることができるので常に清潔に保つことができるという優れた効果を有する。
【図面の簡単な説明】
【０００７】
【図１】第１実施例の犬用保冷体・保温体装着具の平面図である。
【図２】第１実施例の保冷体を取り付けた犬用保冷体・保温体装着具の平面図である。
【図３】第１実施例の犬用保冷体・保温体装着具を犬に装着した状態の概略斜視図である。
【図４】第１実施例の犬用保冷体・保温体装着具を犬に装着した状態の概略斜視図である。
【図５】第２実施例の犬用保冷体・保温体装着具の平面図である。
【図６】第２実施例の犬用保冷体・保温体装着具を犬に装着した状態の概略斜視図である。
【考案を実施するための最良の形態】
【０００８】
考案を実施するために最良の形態の例として以下のような実施例を示す。
【実施例１】
【０００９】
図１〜図４には本考案に係わる犬用保冷体・保温体装着具の第１実施例が示されている。
図１に示されるように、本考案の犬用保冷体・保温体装着具１０のベルト取付体１２はシート状の皮革を平面視楕円状にカットして形成されている。このベルト取付体１２は犬１（図３、図４参照）の背中に配設されるようになっている。このベルト取付体１２の表面には飾り１４が施されている。
図１に示されるように、前記ベルト取付体１２の一側部１２Ａの前部（図１矢印Ａ方向）には第１ベルト用第１挿通孔１６が貫通形成され、ベルト取付体１２の他側部１２Ｂの後部（図１矢印Ｂ方向）には第１ベルト用第２挿通孔１８が貫通形成されている。
また、前記ベルト取付体１２の他側部１２Ｂの前部には第２ベルト用第１挿通孔２０が貫通形成され、ベルト取付体１２の一側部１２Ａの後部には第２ベルト用第２挿通孔２２が貫通形成されている。
前記ベルト取付体１２の第１ベルト用第１挿通孔１６と第１ベルト用第２挿通孔１８には伸縮性を有する第１ベルト２４が着脱可能に挿通されている。この第１ベルト２４は第１ベルト用第１挿通孔１６と第１ベルト用第２挿通孔１８に挿通される長尺の第１ベルト長尺体２４Ａと短尺の第１ベルト短尺体２４Ｂをバックル２６で連結して形成されている。従って、バックル２６を操作することにより前記第１ベルト２４は第１ベルト長尺体２４Ａと第１ベルト短尺体２４Ｂを分離することができると共に第１ベルト２４の長さを長くしたり短くしたり調節できるようになっている。
また、前記ベルト取付体１２の第２ベルト用第１挿通孔２０と第２ベルト用第２挿通孔２２には伸縮性を有する第２ベルト２８が着脱可能に挿通されている。この第２ベルト２８は第２ベルト用第１挿通孔２０と第１ベルト用第２挿通孔２２に挿通される長尺の第２ベルト長尺体２８Ａと短尺の第２ベルト短尺体２８Ｂをバックル２６で連結して形成されている。従って、バックル２６を操作することにより前記第２ベルト２８は第２ベルト長尺体２８Ａと第２ベルト短尺体２８Ｂを分離することができると共に第２ベルト２８の長さを長くしたり短くしたり調節することができるようになっている。
また、前記第１ベルト用第１挿通孔１６、第１ベルト用第２挿通孔１８、第２ベルト用第１挿通孔２０、第２ベルト用第２挿通孔２２の内径寸法は第１ベルト２４、第２ベルト２８の幅寸法より少し小さく形成されている。
従って、第１ベルト２４と第２ベルト２８はＸ字状に交差した状態で前記ベルト取付体１２に取り付けられると共に第１ベルト２４は前記第１ベルト用第１挿通孔１６、第１ベルト用第２挿通孔１８と密着し、第２ベルト２８は第２ベルト用第１挿通孔２０、第２ベルト用第２挿通孔２２に密着するので、第１ベルト２４と第２ベルト２８はフィットした状態で前記ベルト取付体１２に取り付けられるようになっている。
前記第１ベルト２４の一端部には第１ベルト用第１クリップ３０が取り付けられ、第１ベルト２４の他端部には第１ベルト用第２クリップ３２が取り付けられている。
また、前記第２ベルト２８の一端部には第２ベルト用第１クリップ３４が取り付けられ、第２ベルト２８の他端部には第２ベルト用第２クリップ３６が取り付けられている。これら第１ベルト用第１クリップ３０、第１ベルト用第２クリップ３２、第２ベルト用第１クリップ３４、第２ベルト用第２クリップ３６は共に物を挟むことができるタイプの公知で同一形状のクリップである。
従って、図２に示されるように、第１ベルト用第１クリップ３０と第２ベルト用第２クリップ３６で保冷体４０を、前記第２ベルト用第１クリップ３４と第１ベルト用第２クリップ３２で保冷体４０を、それぞれ着脱可能に挟持することができる。なお、これら保冷体４０は保冷剤が充填された公知の保冷体である。
【００１０】
次に、第１実施例の犬用保冷体・保温体装着具１０を使用して犬１の身体を冷やす場合を例にして作用を説明する。
犬用保冷体・保温体装着具１０を犬１に装着する場合は、図３に示されるようにベルト取付体１２を犬１の背中に配設して、第１ベルト２４の一端部を犬１の左前足２の前方に配設し、第２ベルト２８の他端部を犬１の左前足２の後方に配設する。また、第２ベルト２８の一端部を犬１の右前足３の前方に配設し、第１ベルト２４の他端部を犬１の右前足３の後方に配設する。
そして、第１ベルト用第１クリップ３０と第２ベルト用第２クリップ３６で保冷体４０を挟持して取り付け、前記第２ベルト用第１クリップ３４と第１ベルト用第２クリップ３２で保冷体４０を挟持して取り付ける。
この結果、犬用保冷体・保温体装着具１０は図３、図４に示される状態で犬１に装着される。しかも、犬１の左前足２の付け根と右前足３の付け根にはそれぞれ保冷体４０が直接配設されるので犬１のリンパ節がある足の付け根をピンポイントで直接冷やすことができる。
従って、猛暑日や真夏日等の気温が極めて高い日に犬１を散歩させても犬１は保冷体４０によってリンパ節を冷やされるので、犬１の身体が効率よく冷やされ、暑さバテして体調を崩すことを予防できる。
これにより猛暑日や真夏日が連日のように続く夏場でも毎日犬１を散歩させることができるので、犬１の健康管理に極めて効果的である。
【００１１】
なお、犬の身体を温める場合は保冷体４０の代わりに携帯用カイロ等の保温体（図示せず）を第１ベルト用第１クリップ３０と第２ベルト用第２クリップ３６及び第２ベルト用第１クリップ３４と第１ベルト用第２クリップ３２で挟持して取り付ける。
これにより、犬１の左前足２の付け根と右前足３の付け根にはそれぞれ保温体が直接配設されるので、犬１のリンパ節がある足の付け根をピンポイントで直接温めることができる。
従って、病気等で犬１の身体を温めたい場合に犬用保冷体・保温体装着具１０を使用すれば効果的に犬１の身体を温めることができる。
【００１２】
図５及び図６には第２実施例の犬用保冷体・保温体装着具５０が示されている。なお、第１実施例の犬用保冷体・保温体装着具１０と同一の構成は同一の符号を用いてその説明を省略する。
図６に示されるように、第２実施例の犬用保冷体・保温体装着具５０はマグネットタイプのベルト締付体５２が設けられている。
図５に示されるように、このベルト締付体５２は前記第１ベルト２４に取り付けられる第１締付体５４と前記第２ベルト２８に取り付けられる第２締付体５６とから構成されている。
前記第１締付体５４の紐部５８の一端部５８Ａは前記第１ベルト２４に取り付けられている。また、紐部５８の他端部５８Ｂには第１マグネット取付体６０が取り付けられている。この第１マグネット取付体６０には第１マグネット６２が設けられている。
前記第２締付体５６の紐部６４の一端部６４Ａは前記第２ベルト２８に取り付けられている。また、紐部６４の他端部６４Ｂには第２マグネット取付体部６６が取り付けられている。この第２マグネット取付体６６には第２マグネット６８が設けられている。
この結果、図６に示されるように、犬用保冷体・保温体装着具５０においては前記第１マグネット６２と第２マグネット６８を磁着することにより第１ベルト２４と第２ベルト２８を締め付けることができるので、よりフィットした状態で犬用保冷体・保温体装着具５０を犬１に装着することができる。
なお、第２実施例の犬用保冷体・保温体装着具５０の他の構成、作用及び効果は第１実施例の犬用保冷体・保温体装着具１０と同一であるので、その説明は省略する。
【００１３】
なお、第１実施例、第２実施例の犬用保冷体・保温体装着具１０，５０においては第１ベルト２４及び第２ベルト２８に長さ調節機構としてのバックル２６を設けたが、第１ベルト２４及び第２ベルト２８に長さ調節機構を設けなくてもよいことは勿論である。
また、第１実施例、第２実施例の犬用保冷体・保温体装着具１０，５０では保冷体４０、保温体（図示せず）を直接取り付けた例を示したが、保冷体４０や保温体が汚れたりするのを防止したい場合は保冷体４０、保温体をウエットティシュペーパーやティシュペーパー等に包んで取り付けるようにしてもよいことは勿論である。
なお、第２実施例の犬用保冷体・保温体装着具５０においてはマグネットタイプのベルト締付体５２を示したが、ベルト締付体５２はマグネットタイプに限定されるものでなく、前記第１ベルト２４と前記第２ベルト２８を締め付けることができるものであればフックで係止するフックタイプやボタンで係止するボタンタイプあるいはマジックテープ（登録商標）で係止するマジックテープ（登録商標）タイプ等でもよいことは勿論である。
【産業上の利用可能性】
【００１４】
本考案の犬用保冷体・保温体装着具は実施例で示した犬の散歩や犬が病気になった以外にも使用することができる。
【符号の説明】
【００１５】
１０    犬用保冷体・保温体装着具
１２    ベルト取付体
１４    飾り
１６    第１ベルト用第１挿通孔
１８    第１ベルト用第２挿通孔
２０    第２ベルト用第１挿通孔
２２    第２ベルト用第２挿通孔
２４    第１ベルト
２６    バックル
２８    第２ベルト
３０    第１ベルト用第１クリップ
３２    第１ベルト用第２クリップ
３４    第２ベルト用第１クリップ
３６    第２ベルト用第２クリップ
４０    保冷体
５０    犬用保冷体・保温体装着具
５２    ベルト締付体
５４    第１締付体
５６    第２締付体
６２    第１マグネット
６８    第２マグネット
【図１】
0003175568.tif 000003
【図２】
0003175568.tif 000004
【図３】
0003175568.tif 000005
【図４】
0003175568.tif 000006
【図５】
0003175568.tif 000007
【図６】
0003175568.tif 000008